(57)【要約】【解決手段】マシンルームレスエレベータ１００内に組込まれた制御盤システム１０は、制御盤１０Ａと、この制御盤１０Ａを保持する制御盤ブラケット６０とを備える。制御盤ブラケット６０は上部ブラケット６２Ｌ，６２Ｒと下部ブラケット６３Ｌ，６３Ｒとを有し、上部ブラケット６２Ｌ，６２Ｒと下部ブラケット６３Ｌ，６３Ｒに延長上部ブラケット６４Ｌ，６４Ｒと延長下部ブラケット６５Ｌ，６５Ｒが、着脱自在に連結されている。【選択図】図５Ｅ
2018052648.tif 000002
【特許請求の範囲】
【請求項１】
乗りかごが昇降する昇降路内に配置された、マシンルームレスエレベータ用制御盤と、前記制御盤を前記昇降路の内壁面または前記昇降路内に設けられた支持構造体に保持する制御盤ブラケットと、を備え、前記制御盤ブラケットは、各々水平方向に延びる、上部ブラケットと下部ブラケットとを有し、前記上部ブラケットと前記下部ブラケットに、各々上部ブラケットと下部ブラケットから延長する延長上部ブラケットと延長下部ブラケットを着脱自在に設け、前記制御盤は前記上部ブラケットおよび前記延長上部ブラケットと、前記下部ブラケットおよび前記延長下部ブラケットに沿って前記乗りかご側へ移動可能となる、マシンルームレスエレベータ用制御盤システム。
【請求項２】
前記上部ブラケットおよび前記延長上部ブラケットと、前記制御盤との間、または前記下部ブラケットおよび前記延長下部ブラケットと、前記制御盤との間に、前記制御盤を移動させる移動ローラを設けた、請求項１記載のマシンルームレスエレベータ用制御盤システム。
【請求項３】
前記延長上部ブラケットと前記延長下部ブラケットは、各々保守点検時、上部ブラケットと下部ブラケットから延長し、前記延長上部ブラケットと前記延長下部ブラケットは、各々通常運転時、前記上部ブラケットと前記下部ブラケットに重ね合わされて、前記内壁面側または前記支持構造体側へ収納される、請求項１記載のマシンルームレスエレベータ用制御盤システム。
【請求項４】
前記上部ブラケットおよび前記延長上部ブラケット、または前記下部ブラケットおよび前記延長下部ブラケットに、前記制御盤を平行に移動させるガイド装置を設けた、マシンルームレスエレベータ用制御盤システム。
【請求項５】
前記延長上部ブラケットと前記延長下部ブラケットのいずれか一方に、前記制御盤の移動を停止させるストッパを設けた、請求項１記載のマシンルームレスエレベータ用制御盤システム。
【請求項６】
前記制御盤の下面が、最上階のフロアレベルより上方にあるように配置される、請求項１記載のマシンルームレスエレベータ用制御盤システム。
【請求項７】
前記制御盤は、締結手段により前記下部ブラケットに着脱自在に固定されている、請求項１記載のマシンルームレスエレベータ用制御盤システム。
【請求項８】
前記乗りかご上部に手摺が設けられ、前記制御盤が前記乗りかご側へ移動後に前記手摺に当接しない位置まで達する、請求項１記載のマシンルームレスエレベータ用制御盤。
【請求項９】
前記制御盤の前記乗りかご側の面に、把手が設けられている、請求項１記載のマシンルームレスエレベータ用制御盤。
【請求項１０】
乗りかごが昇降する昇降路内に配置された、マシンルームレスエレベータ用制御盤と、前記制御盤を前記昇降路の内壁面または前記昇降路内に設けられた支持構造体に保持する制御盤ブラケットと、を備え、前記制御盤ブラケットは、各々水平方向に延びる、上部ブラケットと下部ブラケットとを有するマシンルームレスエレベータ用制御盤の操作方法において、前記上部ブラケットと前記下部ブラケットに、各々上部ブラケットと下部ブラケットから延長する延長上部ブラケットと延長下部ブラケットを連結する工程と、前記制御盤を前記上部ブラケットおよび前記延長上部ブラケットと、前記下部ブラケットおよび前記延長下部ブラケットに沿って前記乗りかご側へ移動させる工程と、前記乗りかごの上面から前記制御盤を点検する工程と、を備えたマシンルームレスエレベータ用制御盤の操作方法。
【発明の詳細な説明】
【技術分野】
【０００１】
本実施の形態はマシンルームレスエレベータ用制御盤システムに関する。
【背景技術】
【０００２】
従来、建物に設けられた昇降路内に巻上機を設置するマシンルームレスエレベータが種々開発され提案されている。巻上機の位置は、昇降路頂部や底部など種々あった。
【０００３】
このようなマシンルームレスエレベータとして、非常用に対応するシステムが開発されており、この非常用マシンルームレスエレベータは乗りかごと、非常時に乗りかごを駆動する制御盤などを有し、制御盤は昇降路の頂部、より詳しくは最上階フロアよりも上方に配置されなければならない。この条件を満たすための制御盤は昇降路の内壁面又はその近傍に設けられた支柱に設けることが考えられる。
【先行技術文献】
【特許文献】
【０００４】
【特許文献１】特開２００７−８４３２７号公報
【発明の概要】
【発明が解決しようとする課題】
【０００５】
ところで、上述した非常用マシンルームレスエレベータでは、制御盤が昇降路の内壁面又はその近傍の支柱に設けられることが考えられ、点検作業時に乗りかご天井に乗った作業者が制御盤を点検する際、乗りかご天井から制御盤までの距離が長くなり、点検作業が困難になることが考えられる。
【０００６】
本実施の形態は、このような点を考慮してなされたものであり、昇降路の内壁又はその近傍に設けられた支持構造体に設置される制御盤を安全に点検することができるマシンルームレスエレベータ用制御盤システムを提供することを目的とする。
【課題を解決するための手段】
【０００７】
本実施の形態は、乗りかごが昇降する昇降路内に配置された、マシンルームレスエレベータ用制御盤と、前記制御盤を前記昇降路の内壁面または前記昇降路内に設けられた支持構造体に保持する制御盤ブラケットと、を備え、前記制御盤ブラケットは、各々水平方向に延びる、上部ブラケットと下部ブラケットとを有し、前記上部ブラケットと前記下部ブラケットに、各々上部ブラケットと下部ブラケットから延長する延長上部ブラケットと延長下部ブラケットを着脱自在に設け、前記制御盤は前記上部ブラケットおよび前記延長上部ブラケットと、前記下部ブラケットおよび前記延長下部ブラケットに沿って前記乗りかご側へ移動可能となる、マシンルームレスエレベータ用制御盤システムである。
【０００８】
本実施の形態は、乗りかごが昇降する昇降路内に配置された、マシンルームレスエレベータ用制御盤と、前記制御盤を前記昇降路の内壁面または前記昇降路内に設けられた支持構造体に保持する制御盤ブラケットと、を備え、前記制御盤ブラケットは、各々水平方向に延びる、上部ブラケットと下部ブラケットとを有するマシンルームレスエレベータ用制御盤の操作方法において、前記上部ブラケットと前記下部ブラケットに、各々上部ブラケットと下部ブラケットから延長する延長上部ブラケットと延長下部ブラケットを連結する工程と、前記制御盤を前記上部ブラケットおよび前記延長上部ブラケットと、前記下部ブラケットおよび前記延長下部ブラケットに沿って前記乗りかご側へ移動させる工程と、前記乗りかごの上面から前記制御盤を点検する工程と、を備えたマシンルームレスエレベータ用制御盤の操作方法である。
【図面の簡単な説明】
【０００９】
【図１】図１は第１の実施の形態による制御盤システムが組込まれたマシンルームレスエレベータを示す斜視図。
【図２】図２はマシンルームレスエレベータを示す図１とは別の方向からみた斜視図。
【図３】図３はマシンルームレスエレベータを示す平面図。
【図４】図４は昇降路の頂部の構造を示す図。
【図５Ａ】図５Ａは第１の実施の形態による制御盤システムを示す概略斜視図。
【図５Ｂ】図５Ｂは第１の実施の形態による制御盤システムを示す概略斜視図。
【図５Ｃ】図５Ｃは第１の実施の形態による制御盤システムを示す概略斜視図。
【図５Ｄ】図５Ｄは第１の実施の形態による制御盤システムを示す概略斜視図。
【図５Ｅ】図５Ｅは第１の実施の形態による制御盤システムを示す概略斜視図。
【図６Ａ】図６Ａは第２の実施の形態による制御盤システムを示す概略斜視図。
【図６Ｂ】図６Ｂは第２の実施の形態による制御盤システムであってストッパを設けた状態を示す概略斜視図。
【図７Ａ】図７Ａは第３の実施の形態による制御盤システムの作用を示す概略斜視図。
【図７Ｂ】図７Ｂは第３の実施の形態による制御盤システムの作用を示す概略斜視図。
【図７Ｃ】図７Ｃは第３の実施の形態による制御盤システムの作用を示す概略斜視図。
【図８】図８は第４の実施の形態による制御盤システムを示す側面図。
【発明を実施するための形態】
【００１０】
＜第１の実施の形態＞
以下、図面を参照して第１の実施の形態について説明する。
【００１１】
第１の実施の形態は、一対の上部ブラケット６２Ｌ、６２Ｒおよび一対の下部ブラケット６３Ｌ、６３Ｒに、別体の一対の延長上部ブラケット６４Ｌ、６４Ｒおよび一対の延長下部ブラケット６５Ｌ、６５Ｒをそれぞれ、着脱自在に設けたものである。
まず図１及び図２を参照して、第１の実施の形態におけるマシンルームレスエレベータ用制御盤が組込まれたマシンルームレスエレベータ全体について説明する。
【００１２】
なお、以下の説明においては、かごドア側から見て（図１参照）、乗りかごのドアが開閉する方向を左右方向と、乗客が乗りかご内から出る方向を前方と、乗客が乗りかご内に入り込む方向を後方と、鉛直方向を上下方向と言う。
【００１３】
図１及び図２に示したマシンルームレスエレベータ１００は、昇降路２内に配置された上下方向に延びる左右一対のかご側ガイドレール２１Ｌ，２１Ｒと、この一対のかご側ガイドレール２１Ｌ，２１Ｒに案内されて昇降路２の内部を昇降する乗りかご２０とを備え、乗りかご２０の前面には左右方向に開閉する左右一対のかごドア２０ａ，２０ｂが設けられている。
【００１４】
また、乗りかご２０の後側面２０Ｍの側に配置されている釣合錘２２は、左右一対の錘側ガイドレール２３Ｌ，２３Ｒに案内されて昇降路２の内部を昇降する。
【００１５】
左側のかご側ガイドレール２１Ｌ及び錘側ガイドレール２３Ｌの頂部間には、巻上機支持体２４が掛け渡されており、その上面には巻上機２５が載置され固定されている。つまり、巻上機２５は昇降路２の頂部に配置されている。
【００１６】
この巻上機２５が回転駆動するメインシーブ２６は、その外径が主ロープ２７の外径から定まる必要最小限の寸法に設定されており、かつ巻上機２５はこのメインシーブ２６とほぼ同径で長軸なものとなっている。
【００１７】
また、図３に示したように昇降路２を鉛直方向上方から見たときに（平面視において）、巻上機２５のメインシーブ２６側の端部が釣合錘２２の上方に位置しており、メインシーブ２６とは反対側の端部（前端）２５ａが乗りかご２０の左側面２０Ｌの前後方向の中央部上方に位置している。
【００１８】
さらに、巻上機２５及びメインシーブ２６は同軸であり、その軸線は図３に示したように乗りかご２０の左側面２０Ｌ、言い換えると昇降路２の左側の内壁面２Ｌに平行に延びている。
【００１９】
加えて、メインシーブ２６には主ロープ２７が巻き掛けられており、乗りかご２０及び釣合錘２２を釣瓶状に懸架している。
【００２０】
一方、乗りかご２０の上部には、かご枠の一部を構成している上梁２８が左右方向に水平に延びている。
【００２１】
また、乗りかご２０の下面２０ｄには、図１及び図２から理解されるように、鉛直方向上方から見たときに上梁２８に対してＸ字形をなすように水平面内で前後左右方向に傾斜して延びるシーブ支持梁２９が配設されている。
【００２２】
さらに、このシーブ支持梁２９の両端部には、左右一対のかご側シーブ３０Ｌ，３０Ｒが、それぞれ回転自在に支持されている。これらのかご側シーブ３０Ｌ，３０Ｒは、図１及び図２から理解されるように、乗りかご２０の重心に対して略対称に配置されている。
【００２３】
また、巻上機支持体２４の下方且つかごドア２０ａ，２０ｂの側から見て左側のかご側シーブ３０Ｌの上方には、２つのそらせシーブ５０ａ、５０ｂを含むそらせシーブユニット５０が設けられている。そらせシーブユニット５０は、巻上機支持体２４の下面の中央部から、かごドア２０ａ，２０ｂの側から見て左側の錘側ガイドレール２３Ｌに向けて後方且つ下方に延びるそらせシーブベース５０ｃを有しており、そらせシーブベース５０ｃの下端部には２つのそらせシーブのうち一方のそらせシーブ、すなわち第１そらせシーブ５０ａが、そらせシーブベース５０ｃの上端部には他方のそらせシーブ、すなわち第２そらせシーブ５０ｂが、それぞれ回動自在に支持されている。
【００２４】
主ロープ２７のうち乗りかご２０を懸架する部分は、図１および図２に示すように、メインシーブ２６からかごドア２０ａ，２０ｂの側から見て左側のかご側シーブ３０Ｌに向かって、第１そらせシーブ５０ａ及び第２そらせシーブ５０ｂに、この配列順で巻回される部分２７ａと、左右一対のかご側シーブ３０Ｌ，３０Ｒの間で水平に延びる部分２７ｂと、かごドア２０ａ，２０ｂの側から見て右側のかご側シーブ３０Ｒから上方に延びて右側のヒッチ部３１に係止される部分２７ｃとを有し、乗りかご２０を２：１ローピングで懸架している。
【００２５】
また、主ロープ２７のうち釣合錘２２を懸架する部分は、図１およびず２に示すように、メインシーブ２６から下方に延びる部分２７ｄと，左右一対の錘側シーブ２２ａ，２２ｂの間で水平に延びる部分２７ｅと、かごドア２０ａ，２０ｂの側から見て右側の錘側シーブ２２ｂに巻回されてから上方に延びて後方のヒッチ部３２に係止される部分２７ｆとを有し、釣合錘２２を２：１ローピングで懸架している。
【００２６】
なお、後方のヒッチ部３２は、左右一対の錘側ガイドレール２３Ｌ，２３Ｒの上端部に掛け渡された後方ヒッチ部支持体３３の上面、且つ、右側の錘側ガイドレール２３Ｒの上端部近傍に配設され、巻上機２５と同じ高さレベルにある。
【００２７】
また図３および図４に示すように、昇降路２内にはその左側の内壁面２Ｌ側に、調速機３が配置されている。さらに昇降路２内の頂部には、右側の内壁面２Ｒ側に通常用制御盤４が設置されている。この通常用制御盤４は縦長構造をもち、上下方向に延びている。また、乗りかご２０の上面には、作業者の安全を図るための手摺２０ｅが取付けられている。
【００２８】
また、昇降路２内の頂部には、後側の内壁面２Ｍ側に、２台の制御盤１０Ａ，１０Ｂが設置されている。この制御盤１０Ａ、１０Ｂは、通常用制御盤４とは別体に設けられ、主として非常用として用いられるが、これに限るものではない。
【００２９】
この制御盤１０Ａ，１０Ｂは、非常時に乗りかご２０を走行させる際に使用される制御盤が内蔵されるもので、上下方向に２段に分かれて設置されている。この場合、少なくとも下方の制御盤１０Ｂは、非常時の際の浸水等の影響を受けることを防止するため、その下面が最上階フロアレベル５より上方に位置している。
【００３０】
また各制御盤１０Ａ，１０Ｂは、図５Ａ乃至図５Ｂに示すように、いずれも同様の構造をもつ制御盤ブラケット６０により、昇降路２の後側の内壁面２Ｍに保持されている。
【００３１】
なお、各制御盤１０Ａ，１０Ｂを制御盤ブラケット６０を介して昇降路２の内壁面２Ｍに保持することなく、乗りかご２０の通常運転時の昇降に支障がなければ、昇降路２内に設けられた垂直方向に延びる支柱または横方向に延びる構造体に制御盤ブラケット６０を介して保持してもよい。
【００３２】
これら支柱または構造体は、制御盤１０Ａ，１０Ｂを支持する支持構造体として機能する。
【００３３】
上述のように２つの制御盤１０Ａ，１０Ｂは、同様の構造をもつ制御盤ブラケット６０により昇降路２の後側の内壁面２Ｍに保持されているが、以下、上方の制御盤１０Ａの制御盤ブラケット６０について図５Ａ乃至図５Ｅにより説明する。
【００３４】
図５Ａ〜図５Ｅに示すように、昇降路２内に制御盤１０Ａが配置され、この制御盤１０Ａは昇降路２の内壁面２Ｍに制御盤ブラケット６０を介して保持されており、制御盤１０Ａと制御盤ブラケット６０とにより、制御盤システム１０が構成される。
【００３５】
このうち制御盤ブラケット６０は、内壁面２Ｍに取付けられ垂直方向に延びる一対の支持枠６１Ｌ，６１Ｒと、この支持枠６１Ｌ，６１Ｒから水平方向に延びる一対の上部ブラケット６２Ｌ，６２Ｒと、支持枠６１Ｌ，６１Ｒから水平方向に延びる一対の下部ブラケット６３Ｌ，６３Ｒとを有している（図５Ａ乃至図５Ｃ参照）。
【００３６】
このうち一対の上部ブラケット６２Ｌ，６２Ｒは、上部ブラケット６２Ｌ，６２Ｒに設けられた上部取付フランジ１２を介して制御盤１０Ａを上方から保持し、一対の下部ブラケット６３Ｌ，６３Ｒは、制御盤１０Ａに設けられた下部取付フランジ１３を介して制御盤１０Ａを下方から保持する。
【００３７】
この場合、制御盤１０Ａの下部取付フランジ１３と下部ブラケット６３Ｌ，６３Ｒを貫通する締結ボルト（締結手段）１５を締付けることにより、制御盤１０Ａを下部ブラケット６３Ｌ，６３Ｒに固定することができる。
【００３８】
また上部ブラケット６２Ｌ，６２Ｒと下部ブラケット６３Ｌ，６３Ｒに、上部ブラケット６２Ｌ，６２Ｒと下部ブラケット６３Ｌ，６３Ｒから延長する延長上部ブラケット６４Ｌ、６４Ｒと延長下部ブラケット６５Ｌ，６５Ｒが、各々着脱自在に連結されている。
【００３９】
また延長上部ブラケット６４Ｌ，６４Ｒは上部ブラケット６２Ｌ，６２Ｒに、締結ボルト７２により固定され、延長下部ブラケット６５Ｌ，６５Ｒは下部ブラケット６３Ｌ，６３Ｒに締結ボルト７３により固定されている。
【００４０】
図５Ａ〜図５Ｅに示すように、制御盤１０Ａは上部ブラケット６２Ｌ，６２Ｒおよび延長上部ブラケット６４Ｌ，６４Ｒと、下部ブラケット６３Ｌ，６３Ｒおよび延長下部ブラケット６５Ｌ，６５Ｒに沿って、内壁面２Ｍ側から乗りかご２０側へ移動可能となっている。このため一対の下部ブラケット６３Ｌ，６３Ｒと、一対の延長下部ブラケット６５Ｌ，６５Ｒに支持具７０Ａが設置され、この支持具７０Ａ上には制御盤１０Ａの下部取付フランジ１３の底面と当接して、制御盤１０Ａを移動させる移動ローラ７０が設けられている。
【００４１】
さらに制御盤１０Ａの上部取付フランジ１２には、上部ブラケット６２Ｌ，６２Ｒおよび延長上部ブラケット６４Ｌ，６４Ｒと当接して、制御盤１０Ａを走行させる移動ローラ（図示せず）が設けられている。
【００４２】
いずれにしても下部ブラケット６３Ｌ，６３Ｒおよび延長下部ブラケット６５Ｌ，６５Ｒと、制御盤１０Ａの下部との間、および上部ブラケット６２Ｌ，６２Ｒおよび延長上部ブラケット６４Ｌ，６４Ｒと、制御盤１０Ａの上部との間に、制御盤１０Ａを走行させる移動ローラが設けられている。
【００４３】
なお、制御盤１０Ａの上部および下部の双方に移動ローラを設けることなく、制御盤１０Ａが乗りかご２９側に移動可能であるならば、制御盤１０Ａの上部および下部のいずれか一方のみに移動ローラを設けてもよい。
【００４４】
また、一対の上部ブラケット６２Ｌ，６２Ｒ，６２は連結具６２Ａにより連結されて補強され、一対の下部ブラケット６３Ｌ，６３Ｒ，６３も連結具６３Ａにより連結されて補強されている。また一対の延長上部ブラケット６４Ｌ，６４Ｒも、連結具６４Ａにより連結されて補強されている。
【００４５】
ところで制御盤１０Ａは、その前面側（乗りかご２０側）が把手１０ａを有するカバー１０ｃにより覆われている。そして乗りかご２０の上面に乗った作業者が把手１０ａをつかみ、制御盤１０Ａを手前へ（乗りかご２０側へ）引張ることにより、制御盤１０Ａを上部ブラケット６２Ｌ，６２Ｒと延長上部ブラケット６４Ｌ，６４Ｒ、および下部ブラケット６３Ｌ，６３Ｒと延長下部ブラケット６５Ｌ，６５Ｒとに沿って乗りかご２０側へ移動させることができる。また制御盤１０Ａのカバー１０ｃを取外すことで、作業者は制御盤１０Ａの内部を点検する。
【００４６】
次にこのような構成からなる本実施の形態の作用について説明する。
【００４７】
図５Ａ〜図５Ｃに示すように、昇降路２の内壁面２Ｍに一対の支持枠６１Ｌ，６１Ｒが固定され、この一対の支持枠６１Ｌ，６１Ｒに、水平方向に延びる一対の上部ブラケット６２Ｌ，６２Ｒおよび水平方向に延びる一対の下部ブラケット６３Ｌ，６３Ｒが固定される。
【００４８】
次に制御盤１０Ａの上部が上部取付フランジ１２を介して一対の上部ブラケット６２Ｌ，６２Ｒに取付けられ、制御盤１０Ａの下部が下部取付フランジ１３を介して一対の下部ブラケット６３Ｌ，６３Ｒに取付けられる。
【００４９】
このとき制御盤１０Ａの上部と上部取付フランジ１２とが締結ボルト１４により締結される。また下部取付フランジ１３は制御盤１０Ａの下部と予め固定されており、下部取付フランジ１３を下部ブラケット６３Ｌ，６３Ｒに締結ボルト１５により固定することにより、制御盤１０Ａは上部ブラケット６２Ｌ，６２Ｒおよび下部ブラケット６３Ｌ，６３Ｒに堅固に固定される。
【００５０】
このようにして上部ブラケット６２Ｌ，６２Ｒおよび下部ブラケット６３Ｌ，６３Ｒを有する制御盤ブラケット６０が得られ、制御盤１０Ａと制御盤ブラケット６０とにより制御盤システム１０が構成される（図５Ｃ参照）。
【００５１】
このとき制御盤１０Ａは、昇降路２の内壁面２Ｍ側に配置されており、マシンルームレスエレベータ１００の通常運転が行われる。
【００５２】
次にマシンルームレスエレベータ１００の保守点検時において、乗りかご２０を昇降路２内の頂部まで上昇させ停止させる。次に作業者が乗りかご２０の天井に乗り込み、手摺２０ｅ内から上部ブラケット６２Ｌ，６２Ｒに延長上部ブラケット６４Ｌ，６４Ｒを連結して上部ブラケット６２Ｌ，６２Ｒを延長させる。このとき上部ブラケット６２Ｌ，６２Ｒと延長上部ブラケット６４Ｌ，６４Ｒは締結ボルト７２により締結され、昇降路２の内壁面２Ｍ側から乗りかご２０側へ水平方向に延びる。
【００５３】
同様に下部ブラケット６３Ｌ，６３Ｒに延長下部ブラケット６５Ｌ，６５Ｒを連結して下部ブラケット６３Ｌ，６３Ｒを延長させる。このとき下部ブラケット６３Ｌ，６３Ｒと延長下部ブラケット６５Ｌ，６５Ｒは締結ボルト７３により締結され、昇降路２の内壁面２Ｍ側から乗りかご２０側へ水平方向に延びる。
【００５４】
次に作業者は締結ボルト１５を取外す。このとき制御盤１０Ａは、下部ブラケット６３Ｌ，６３Ｒ上で自由に移動可能となる。
【００５５】
その後作業者は制御盤１０Ａの把手１０ａを手前に引張る。このことにより制御盤１０Ａは、上部ブラケット６２Ｌ，６２Ｒおよび延長上部ブラケット６４Ｌ，６４Ｒと、下部ブラケット６３Ｌ，６３Ｒおよび延長下部ブラケット６５Ｌ，６５Ｒに沿って手前へ移動する。このとき、制御盤１０Ａは上部ブラケット６２Ｌ，６２Ｒおよび延長上部ブラケット６４Ｌ，６４Ｒ側、および下部ブラケット６３Ｌ，６３Ｒおよび延長下部ブラケット６５Ｌ，６５Ｒ側に各々設けられた移動ローラ７０によりスムーズに移動する。
【００５６】
上記手順により、制御盤１０Ａを乗りかご２０側へ移動させることができる。次に制御盤１０Ａは乗りかご２０上の手摺２０ｅの手前で停止させる。その後、締結ボルト１５により再度、制御盤１０Ａの下部取付フランジ１３を延長下部ブラケット６５Ｌ，６５Ｒに固定する。
【００５７】
続いて、作業者は制御盤１０Ａのカバー１０ｃを取外し、制御盤１０Ａの内部を保守点検することができる。
【００５８】
このように本実施の形態によれば、通常運転時においては、通常運転時の邪魔にならない位置に、制御盤１０Ａを昇降路２の内壁面２Ｍ側へ固定しておき、保守点検時に上部ブラケット６２Ｌ，６２Ｒおよび下部ブラケット６３Ｌ，６３Ｒに各々延長上部ブラケット６４Ｌ，６４Ｒおよび延長下部ブラケット６５Ｌ，６５Ｒを連結して、制御盤１０Ａを乗りかご２０側へ引き出して、制御盤１０Ａの内部を保守点検することができる。このため昇降路２の内壁面２Ｍと乗りかご２０との間の距離が長い場合であっても、作業者は安全かつ確実に制御盤１０Ａの保守点検作業を行うことができる。
【００５９】
＜第２の実施の形態＞
次に図６Ａおよび図６Ｂにより、第２の実施の形態について説明する。
【００６０】
第２の実施の形態は、一対の上部ブラケット６２Ｌ、６２Ｒおよび一対の下部ブラケット６３Ｌ、６３Ｒに、一対の延長上部ブラケット６４Ｌ、６４Ｒおよび一対の延長下部ブラケット６５Ｌ、６５Ｒをそれぞれ、着脱自在に設けるとともに、一対の下部ブラケット６３Ｌ、６３Ｒおよび一対の延長下部ブラケット６５Ｌ、６５Ｒに、制御盤１０Ａの側縁に当接するガイド装置７５を設け、さらに一対の延長下部ブラケット６５Ｌ、６５Ｒに制御盤１０Ａの落下を防止するストッパ７６を設けたものである。図６Ａおよび図６Ｂに示す第２の実施の形態において、図１乃至図５Ｅに示す第１の実施の形態と同一部分には、同一符号を付して詳細な説明は省略する。
【００６１】
図６Ａ〜図６Ｂに示すように、昇降路２内に制御盤１０Ａが配置され、この制御盤１０Ａは昇降路２の内壁面２Ｍに制御盤ブラケット６０を介して保持されており、制御盤１０Ａと制御盤ブラケット６０とにより、制御盤システム１０が構成される。
【００６２】
また、下部ブラケット６３Ｌ，６３Ｒと延長下部ブラケット６５Ｌ，６５Ｒの両側方には、制御盤１０Ａの下部取付フランジ１３の側縁と当接するガイド装置７５が、下部ブラケット６３Ｌ，６３Ｒと延長下部ブラケット６５Ｌ，６５Ｒにボルト締めにより、取付けられている。
【００６３】
このガイド装置７５は、制御盤１０Ａを移動させる際、制御盤１０Ａを上部ブラケット６２Ｌ，６２Ｒおよび延長上部ブラケット６４Ｌ，６４Ｒと、下部ブラケット６３Ｌ，６３Ｒおよび延長下部ブラケット６５Ｌ，６５Ｒに沿って、精度良く平行に移動させるものである。
【００６４】
また延長下部ブラケット６５Ｌ，６５Ｒの先端に、制御盤１０Ａの下方部分と当接するストッパ７６が取付けられている。このストッパ７６は、延長下部ブラケット６５Ｌ、６５Ｒを下部ブラケット６３Ｌ、６３Ｒに取り付けた際、延長下部ブラケット６５Ｌ、６５Ｒにボルト締めにより固定される。下部ブラケット６３Ｌ，６３Ｒと延長下部ブラケット６５Ｌ，６５Ｒに沿って制御盤１０Ａを移動させた場合、制御盤１０Ａの下部取付フランジ１３の側縁がこのストッパ７６に当接することにより、制御盤１０Ａが制御盤ブラケット６０から落下することを防止する。
【００６５】
＜第３の実施の形態＞
次に図７Ａ〜図７Ｃにより、第３の実施の形態について説明する。
【００６６】
第３の実施の形態は、一対の上部ブラケット６２Ｌ、６２Ｒおよび一対の下部ブラケット６３Ｌ、６３Ｒに、一対の延長上部ブラケット６４Ｌ、６４Ｒおよび一対の延長下部ブラケット６５Ｌ、６５Ｒをそれぞれ、着脱自在に設けるとともに、一対の延長上部ブラケット６４Ｌ、６４Ｒおよび一対の延長下部ブラケット６５Ｌ、６５Ｒを、一対の上部ブラケット６２Ｌ、６２Ｒおよび一対の下部ブラケット６３Ｌ、６３Ｒに対してそれぞれ折り畳んで収納可能としたものである。図７Ａ〜図７Ｃに示す第３の実施の形態において、図１乃至図５Ｅに示す第１の実施の形態と同一部分には、同一符号を付して詳細な説明は省略する。
【００６７】
図７Ａ〜図７Ｃに示すように、昇降路２内に制御盤１０Ａが配置され、この制御盤１０Ａは昇降路２の内壁面２Ｍに制御盤ブラケット６０を介して保持されており、制御盤１０Ａと制御盤ブラケット６０とにより、制御盤システム１０が構成される。
【００６８】
また上部ブラケット６２Ｌ，６２Ｒと下部ブラケット６３Ｌ，６３Ｒに、各々上部ブラケット６２Ｌ，６２Ｒと下部ブラケット６３Ｌ，６３Ｒから延長する延長上部ブラケット６４Ｌ，６４Ｒと延長下部ブラケット６５Ｌ，６５Ｒが、各々着脱自在に連結されている。
【００６９】
この場合、延長上部ブラケット６４Ｌ，６４Ｒは、上部ブラケット６２Ｌ，６２Ｒにヒンジ部８０を介して水平方向に回動自在に取付けられており、延長下部ブラケット６５Ｌ，６５Ｒは下部ブラケット６３Ｌ，６３Ｒにヒンジ部８１を介して垂直方向に回動自在に取付けられている。
【００７０】
図７Ａ〜図７Ｃにおいて、マシンルームレスエレベータ１００の通常運転時には、制御盤１０Ａは上部ブラケット６２Ｌ，６２Ｒと下部ブラケット６３Ｌ，６３Ｒとによって保持され、制御盤１０Ａの下部取付フランジ１３と下部ブラケット６３Ｌ，６３Ｒを貫通する締結ボルト１５を締付けることにより、制御盤１０Ａを下部ブラケット６３Ｌ，６３Ｒに固定しておく（図７Ａ参照）。
【００７１】
この場合、延長上部ブラケット６４Ｌ，６４Ｒはヒンジ部８０を介して水平方向に回動して上部ブラケット６２Ｌ，６２Ｒの側方に重ね合わされ、昇降路２の内壁面２Ｍ側へ折畳まれて収納される。
【００７２】
同様に延長下部ブラケット６５Ｌ，６５Ｒはヒンジ部８１を介して垂直方向に回動して下部ブラケット６３Ｌ，６３Ｒの下方に重ね合わされ、昇降路２の内壁面２Ｍ側へ折畳まれて収納される。
【００７３】
このとき延長上部ブラケット６４Ｌ，６４Ｒは上部ブラケット６２Ｌ，６２Ｒに図示しない締結具により固定され、延長下部ブラケット６５Ｌ，６５Ｒは下部ブラケット６３Ｌ，６３Ｒに図示しない締結具により固定される。
【００７４】
次に保守点検時には、延長上部ブラケット６４Ｌ，６４Ｒが上部ブラケット６２Ｌ，６２Ｒに対して水平方向に回動し、延長上部ブラケット６４Ｌ，６４Ｒは上部ブラケット６２Ｌ，６２Ｒと同一方向を向く。その後延長上部ブラケット６４Ｌ，６４Ｒと上部ブラケット６２Ｌ，６２Ｒを締結ボルト７２により固定する。
【００７５】
同様に延長下部ブラケット６５Ｌ，６５Ｒが下部ブラケット６３Ｌ，６３Ｒに対して垂直方向に回動し、延長下部ブラケット６５Ｌ，６５Ｒが下部ブラケット６３Ｌ，６３Ｒと同一方向を向く。その後延長下部ブラケット６５Ｌ，６５Ｒと下部ブラケット６３Ｌ，６３Ｒを締結ボルト７３により固定する。
【００７６】
次に締結ボルト１５を取外して制御盤１０Ａが下部取付フランジ１３上を自由に移動できるようにしておき、制御盤１０Ａを把手１０ａをもって手前に引張る。このことにより、制御盤１０Ａを上部ブラケット６２Ｌ，６２Ｒおよび延長上部ブラケット６４Ｌ，６４Ｒと、下部ブラケット６３Ｌ，６３Ｒおよび延長下部ブラケット６５Ｌ，６５Ｒとに沿って乗りかご２０側へ移動させることができる。
【００７７】
図７Ａ〜図７Ｃにおいて、通常運転時には、延長上部ブラケット６４Ｌ，６４Ｒおよび延長下部ブラケット６５Ｌ，６５Ｒを、各々上部ブラケット６２Ｌ，６２Ｒおよび下部ブラケット６３Ｌ，６３Ｒに対いて折畳むことにより、延長上部ブラケット６４Ｌ，６４Ｒおよび延長下部ブラケット６５Ｌ，６５Ｒをコンパクトに収納することができる。
【００７８】
＜第４の実施の形態＞
次に図８により、制御盤システムの第４の実施の形態について述べる。
【００７９】
第４の実施の形態は、パンタグラフ機構８６によって、制御盤１０Ａを手前に引き寄せ可能としたものである。制御盤ブラケット６０は制御盤１０Ａを保持するブラケット本体８５と、ブラケット本体８５と内壁面２Ｍとの間に介在されたパンタグラフ機構８６とを有している。
【００８０】
図８において、マシンルームレスエレベータ１００の通常運転時において、パンタグラフ機構８６を縮めることにより、制御盤ブラケット６０のブラケット本体８５を支柱３８側へもってくる。
【００８１】
次に保守点検時において、作業者は乗りかご２０の天井に立ち（手摺２０ｅ内側）、パンタグラフ機構８６を乗りかご２０側へ引き寄せることにより、制御盤ブラケット６０のブラケット本体８５を乗りかご２０側へもってくる。
【００８２】
このことにより、乗りかご２０上面の作業者は容易にブラケット本体８５に保持された制御盤１０Ａ内部を点検することができる。
【符号の説明】
【００８３】
２  昇降路、２Ｍ  内壁面、５  最上階フロアレベル、１０  制御盤システム、１０Ａ  制御盤、１０Ｂ  制御盤、１２  上部取付フランジ、１３  下部取付フランジ、１４  締結ボルト、１５  締結ボルト、２０  乗りかご、２１Ｌ，２１Ｒ  かご側ガイドレール、２２  釣合錘、２２ａ，２２ｂ  錘側シーブ、２３Ｌ，２３Ｒ  錘側ガイドレール、２４  巻上機支持体、２５  巻上機、２６  メインシーブ、２７  主ロープ、２８  上梁、２９  シーブ支持梁、３０Ｌ，３０Ｒ  かご側シーブ、６０  制御盤ブラケット、６２Ｌ，６２Ｒ  上部ブラケット、６３Ｌ、６３Ｒ  下部ブラケット、６４Ｌ，６４Ｒ  延長上部ブラケット、６５Ｌ，６５Ｒ  延長下部ブラケット、７０  移動ローラ、７５  ガイド装置、７６  ストッパ、１００  マシンルームレスエレベータ
【図１】
2018052648.tif 000003
【図２】
2018052648.tif 000004
【図３】
2018052648.tif 000005
【図４】
2018052648.tif 000006
【図５Ａ】
2018052648.tif 000007
【図５Ｂ】
2018052648.tif 000008
【図５Ｃ】
2018052648.tif 000009
【図５Ｄ】
2018052648.tif 000010
【図５Ｅ】
2018052648.tif 000011
【図６Ａ】
2018052648.tif 000012
【図６Ｂ】
2018052648.tif 000013
【図７Ａ】
2018052648.tif 000014
【図７Ｂ】
2018052648.tif 000015
【図７Ｃ】
2018052648.tif 000016
【図８】
2018052648.tif 000017
【手続補正書】
【提出日】平成29年9月14日(2017.9.14)
【手続補正１】
【補正対象書類名】明細書
【補正対象項目名】０００７
【補正方法】変更
【補正の内容】
【０００７】
本実施の形態は乗りかごが昇降する昇降路内に配置された、マシンルームレスエレベータ用制御盤と、前記制御盤を前記昇降路の内壁面または前記昇降路内に設けられた支持構造体に保持する制御盤ブラケットと、を備え、前記制御盤ブラケットは、各々水平方向に延びる、上部ブラケットと下部ブラケットとを有し、前記上部ブラケットと前記下部ブラケットに、各々上部ブラケットと下部ブラケットから延長する延長上部ブラケットと延長下部ブラケットを着脱自在に設け、前記延長上部ブラケットと前記延長下部ブラケットは、保守点検時に前記乗りかごの天井に乗り込む作業者により、前記上部ブラケットと前記下部ブラケットに各々連結されて延長位置をとり、前記制御盤は前記上部ブラケットおよび前記延長上部ブラケットと、前記下部ブラケットおよび前記延長下部ブラケットに沿って前記乗りかごの天井にいる作業者により、前記乗りかご側へ移動可能となる、マシンルームレスエレベータ用制御盤システムである。
【手続補正２】
【補正対象書類名】明細書
【補正対象項目名】０００８
【補正方法】変更
【補正の内容】
【０００８】
乗りかごが昇降する昇降路内に配置された、マシンルームレスエレベータ用制御盤と、前記制御盤を前記昇降路の内壁面または前記昇降路内に設けられた支持構造体に保持する制御盤ブラケットと、を備え、前記制御盤ブラケットは、各々水平方向に延びる、上部ブラケットと下部ブラケットとを有するマシンルームレスエレベータ用制御盤の操作方法において、前記上部ブラケットと前記下部ブラケットに、前記乗りかごの天井に乗り込む作業者により各々上部ブラケットと下部ブラケットから延長する延長上部ブラケットと延長下部ブラケットを連結して、延長上部ブラケットと延長下部ブラケットは延長位置をとる工程と、前記制御盤を前記上部ブラケットおよび前記延長上部ブラケットと、前記下部ブラケットおよび前記延長下部ブラケットに沿って前記乗りかごの天井にいる作業者により前記乗りかご側へ移動させる工程と、前記乗りかごの上面から前記制御盤を点検する工程と、を備えたマシンルームレスエレベータ用制御盤の操作方法。
【手続補正３】
【補正対象書類名】特許請求の範囲
【補正対象項目名】全文
【補正方法】変更
【補正の内容】
【特許請求の範囲】
【請求項１】
乗りかごが昇降する昇降路内に配置された、マシンルームレスエレベータ用制御盤と、前記制御盤を前記昇降路の内壁面または前記昇降路内に設けられた支持構造体に保持する制御盤ブラケットと、を備え、前記制御盤ブラケットは、各々水平方向に延びる、上部ブラケットと下部ブラケットとを有し、前記上部ブラケットと前記下部ブラケットに、各々上部ブラケットと下部ブラケットから延長する延長上部ブラケットと延長下部ブラケットを着脱自在に設け、前記延長上部ブラケットと前記延長下部ブラケットは、保守点検時に前記乗りかごの天井に乗り込む作業者により、前記上部ブラケットと前記下部ブラケットに各々連結されて延長位置をとり、前記制御盤は前記上部ブラケットおよび前記延長上部ブラケットと、前記下部ブラケットおよび前記延長下部ブラケットに沿って前記乗りかごの天井にいる作業者により、前記乗りかご側へ移動可能となる、マシンルームレスエレベータ用制御盤システム。
【請求項２】
前記上部ブラケットおよび前記延長上部ブラケットと、前記制御盤との間、または前記下部ブラケットおよび前記延長下部ブラケットと、前記制御盤との間に、前記制御盤を移動させる移動ローラを設けた、請求項１記載のマシンルームレスエレベータ用制御盤システム。
【請求項３】
前記延長上部ブラケットと前記延長下部ブラケットは、各々保守点検時、上部ブラケットと下部ブラケットから延長し、前記延長上部ブラケットと前記延長下部ブラケットは、各々通常運転時、前記上部ブラケットと前記下部ブラケットに重ね合わされて、前記内壁面側または前記支持構造体側へ収納される、請求項１記載のマシンルームレスエレベータ用制御盤システム。
【請求項４】
前記上部ブラケットおよび前記延長上部ブラケット、または前記下部ブラケットおよび前記延長下部ブラケットに、前記制御盤を平行に移動させるガイド装置を設けた、請求項１記載のマシンルームレスエレベータ用制御盤システム。
【請求項５】
前記延長上部ブラケットと前記延長下部ブラケットのいずれか一方に、前記制御盤の移動を停止させるストッパを設けた、請求項１記載のマシンルームレスエレベータ用制御盤システム。
【請求項６】
前記制御盤の下面が、最上階のフロアレベルより上方にあるように配置される、請求項１記載のマシンルームレスエレベータ用制御盤システム。
【請求項７】
前記制御盤は、締結手段により前記下部ブラケットに着脱自在に固定されている、請求項１記載のマシンルームレスエレベータ用制御盤システム。
【請求項８】
前記乗りかご上部に手摺が設けられ、前記制御盤が前記乗りかご側へ移動後に前記手摺に当接しない位置まで達する、請求項１記載のマシンルームレスエレベータ用制御盤。
【請求項９】
前記制御盤の前記乗りかご側の面に、把手が設けられている、請求項１記載のマシンルームレスエレベータ用制御盤。
【請求項１０】
乗りかごが昇降する昇降路内に配置された、マシンルームレスエレベータ用制御盤と、前記制御盤を前記昇降路の内壁面または前記昇降路内に設けられた支持構造体に保持する制御盤ブラケットと、を備え、前記制御盤ブラケットは、各々水平方向に延びる、上部ブラケットと下部ブラケットとを有するマシンルームレスエレベータ用制御盤の操作方法において、前記上部ブラケットと前記下部ブラケットに、前記乗りかごの天井に乗り込む作業者により各々上部ブラケットと下部ブラケットから延長する延長上部ブラケットと延長下部ブラケットを連結して、延長上部ブラケットと延長下部ブラケットは延長位置をとる工程と、前記制御盤を前記上部ブラケットおよび前記延長上部ブラケットと、前記下部ブラケットおよび前記延長下部ブラケットに沿って前記乗りかごの天井にいる作業者により前記乗りかご側へ移動させる工程と、前記乗りかごの上面から前記制御盤を点検する工程と、を備えたマシンルームレスエレベータ用制御盤の操作方法。
【手続補正書】
【提出日】平成30年1月29日(2018.1.29)
【手続補正１】
【補正対象書類名】特許請求の範囲
【補正対象項目名】全文
【補正方法】変更
【補正の内容】
【特許請求の範囲】
【請求項１】
乗りかごが昇降する昇降路内に配置され、水平方向に延びる上部取付フランジと水平方向に延びる下部取付フランジとを有するマシンルームレスエレベータ用制御盤と、前記制御盤を前記昇降路の内壁面または前記昇降路内に設けられた支持構造体に保持する制御盤ブラケットと、を備え、前記制御盤ブラケットは、各々水平方向に延びる、上部ブラケットと下部ブラケットとを有し、前記上部ブラケットと前記下部ブラケットに、各々上部ブラケットと下部ブラケットから延長する延長上部ブラケットと延長下部ブラケットを着脱自在に設け、前記延長上部ブラケットと前記延長下部ブラケットは、保守点検時に前記乗りかごの天井に乗り込む作業者により、前記上部ブラケットと前記下部ブラケットに各々連結されて延長位置をとり、前記制御盤はその上部取付フランジの上面が前記上部ブラケットおよび前記延長上部ブラケットの下面に沿って摺動し、その下部取付フランジの下面が前記下部ブラケットおよび前記延長下部ブラケットの上面に沿って摺動して前記上部ブラケットおよび前記延長上部ブラケットと、前記下部ブラケットおよび前記延長下部ブラケットに沿って前記乗りかごの天井にいる作業者により、前記乗りかご側へ移動可能となる、マシンルームレスエレベータ用制御盤システム。
【請求項２】
前記上部ブラケットおよび前記延長上部ブラケットと、前記制御盤との間、または前記下部ブラケットおよび前記延長下部ブラケットと、前記制御盤との間に、前記制御盤を移動させる移動ローラを設けた、請求項１記載のマシンルームレスエレベータ用制御盤システム。
【請求項３】
前記延長上部ブラケットと前記延長下部ブラケットは、各々保守点検時、上部ブラケットと下部ブラケットから延長し、前記延長上部ブラケットと前記延長下部ブラケットは、各々通常運転時、前記上部ブラケットと前記下部ブラケットに重ね合わされて、前記内壁面側または前記支持構造体側へ収納される、請求項１記載のマシンルームレスエレベータ用制御盤システム。
【請求項４】
前記上部ブラケットおよび前記延長上部ブラケット、または前記下部ブラケットおよび前記延長下部ブラケットに、前記制御盤を平行に移動させるガイド装置を設けた、請求項１記載のマシンルームレスエレベータ用制御盤システム。
【請求項５】
前記延長上部ブラケットと前記延長下部ブラケットのいずれか一方に、前記制御盤の移動を停止させるストッパを設けた、請求項１記載のマシンルームレスエレベータ用制御盤システム。
【請求項６】
前記制御盤の下面が、最上階のフロアレベルより上方にあるように配置される、請求項１記載のマシンルームレスエレベータ用制御盤システム。
【請求項７】
前記制御盤は、締結手段により前記下部ブラケットに着脱自在に固定されている、請求項１記載のマシンルームレスエレベータ用制御盤システム。
【請求項８】
前記乗りかご上部に手摺が設けられ、前記制御盤が前記乗りかご側へ移動後に前記手摺に当接しない位置まで達する、請求項１記載のマシンルームレスエレベータ用制御盤。
【請求項９】
前記制御盤の前記乗りかご側の面に、把手が設けられている、請求項１記載のマシンルームレスエレベータ用制御盤。
【請求項１０】
乗りかごが昇降する昇降路内に配置され、水平方向に延びる上部取付フランジと水平方向に延びる下部取付フランジとを有するマシンルームレスエレベータ用制御盤と、前記制御盤を前記昇降路の内壁面または前記昇降路内に設けられた支持構造体に保持する制御盤ブラケットと、を備え、前記制御盤ブラケットは、各々水平方向に延びる、上部ブラケットと下部ブラケットとを有するマシンルームレスエレベータ用制御盤の操作方法において、前記上部ブラケットと前記下部ブラケットに、前記乗りかごの天井に乗り込む作業者により各々上部ブラケットと下部ブラケットから延長する延長上部ブラケットと延長下部ブラケットを連結して、延長上部ブラケットと延長下部ブラケットは延長位置をとる工程と、前記制御盤をその上部取付フランジの上面が前記上部ブラケットおよび前記延長上部ブラケットの下面に沿って摺動し、その下部取付フランジの下面が前記下部ブラケットおよび前記延長下部ブラケットの上面に沿って摺動して前記上部ブラケットおよび前記延長上部ブラケットと、前記下部ブラケットおよび前記延長下部ブラケットに沿って前記乗りかごの天井にいる作業者により前記乗りかご側へ移動させる工程と、前記乗りかごの上面から前記制御盤を点検する工程と、を備えたマシンルームレスエレベータ用制御盤の操作方法。